(57)【要約】【課題】  遮蔽性および扉の開閉操作性が良好な構造の防音ケースを持つエンジン駆動作業機を提供することを目的とする。【解決手段】  エンジン５０と、このエンジンにより駆動される作業機本体５１とが防音ケースに収容され、前記防音ケースの側壁には、回動により開閉可能な扉およびこの扉を支持する扉枠体が設けられ、前記扉および扉枠体は吸音材が組み込まれており、相互に当接する部分にシール材が二重に配設されたエンジン駆動作業機において、前記扉枠体１５０は、前記扉１８０，１８５との当接部に前記扉枠体の表面よりも一段窪んだ環状溝１５０ａ，１５１ｂ，１５２ｂ，１５３ｂ，１５４ｂを有し、この環状溝の内側縁部における前記扉との当接面に環状に形成された封止性当接部材７０，８１と当接部材８０が配された、ことを特徴とするエンジン駆動作業機。【選択図】  図４
2006037719.tif 000002
【特許請求の範囲】
【請求項１】
エンジンと、このエンジンにより駆動される作業機本体とが防音ケースに収容され、前記防音ケースの側壁には、回動により開閉可能な扉およびこの扉を支持する扉枠体が設けられ、前記扉および扉枠体は吸音材が組み込まれており、相互に当接する部分にシール材が二重の環状に配設されたエンジン駆動作業機において、
前記扉枠体は、前記扉との当接部に前記扉枠体の表面よりも一段窪んだ環状溝を有し、この環状溝の内側縁部における前記扉との当接面に環状に形成された封止性当接部材が配された、
ことを特徴とするエンジン駆動作業機。
【請求項２】
請求項１記載のエンジン駆動作業機において、
前記扉の縁辺は、前記扉枠体に向かって直角に曲げられ、前記環状溝内の空間に食い込み、かつ
前記扉枠体には、前記扉の縁辺のうち少なくとも扉開口端が当接するシール材が配されたことを特徴とするエンジン駆動作業機。
【請求項３】
請求項１記載のエンジン駆動作業機において、
前記扉の内面側に、外周部以外は開口として形成され前記吸音材を収納保持する収納枠が設けられ、かつ前記開口の少なくとも一部が取外し可能な遮音カバーにより覆われたことを特徴とするエンジン駆動作業機。
【請求項４】
請求項２または３記載のエンジン駆動作業機において、
前記扉枠体の裏面に取り付けられ、前記扉枠体の裏面を含み前記扉の裏面周縁部に達する領域を覆う裏面カバーを有することを特徴とするエンジン駆動作業機。
【発明の詳細な説明】
【技術分野】
【０００１】
本発明は、エンジンにより圧縮機、発電機、ポンプ等の作業機を駆動するエンジン駆動作業機に係り、とくにその扉周りの防水および遮音構造に関する。
【背景技術】
【０００２】
この種のエンジン駆動作業機は、ベースと呼ばれる基礎部材上に載置され、ベース上に組み付けられた防音構造のケース内に収容されている。これにより、エンジン駆動作業機の周囲への騒音対策はなされているが、更なる対策を要する場合もあり、ケース側壁を二重遮蔽構造とし、とくにケースに設けられた扉付近からの音漏れを防止するため、シール材を二重に配したりすることが行われている。
【０００３】
例えば図7に示す特許文献１に開示されたものでは、二重遮蔽構造が採用されている。すなわち、防音ケースの外壁２００が外側の鉄板２００ａと内側の鉄板２００ｂとの間に空気層が形成された二重構造の遮蔽が施されており、二重遮蔽構造の防音ケースの外壁２００に開閉扉２１０が設けられている。
【０００４】
そして、開閉扉２１０と、この開閉扉２１０が組み付けられる窓穴との係合部が階段状に形成され、この階段状部分にシール材２２０，２２１が２段階で介挿されている。したがって、開閉扉２１０の外側鉄板２１０ａおよび内側鉄板２１０ｂは、両者間の中央部が空気層であり、階段状をなす周囲の接合部では、外壁との間の空間がシール材２２０，２２１によりケース内、外間が封止されている。
【特許文献１】実開昭63-110637号公報
【発明の開示】
【発明が解決しようとする課題】
【０００５】
図７に示したものは、開閉扉２１０は、遮蔽性はあるが重量が大である。このため、とくに大型作業機では扉や枠体の重量が重くなり過ぎて不都合である。また、シール材２２０，２２１による二重シール構造では、開閉扉２１０と扉穴とのシール部からの雨水侵入防止、遮音のためには開閉扉２１０を強固に押圧する必要があり、開閉扉２１０の開閉に大きな力を要し操作性に難点がある。
【０００６】
本発明は上述の点を考慮してなされたもので、遮蔽性および扉の開閉操作性が良好な構造の防音ケースを持つエンジン駆動作業機を提供することを目的とする。
【課題を解決するための手段】
【０００７】
上記目的達成のため、本発明では、
エンジンと、このエンジンにより駆動される作業機本体とが防音ケースに収容され、前記防音ケースの側壁には、回動により開閉可能な扉およびこの扉を支持する扉枠体が設けられ、前記扉および扉枠体は吸音材が組み込まれており、相互に当接する部分にシール材が二重の環状に配設されたエンジン駆動作業機において、前記扉枠体は、前記扉との当接部に前記扉枠体の表面よりも一段窪んだ環状溝を有し、この環状溝の内側縁部における前記扉との当接面に環状に形成された封止性当接部材が配された、ことを特徴とするエンジン駆動作業機、
を提供するものである。
【発明の効果】
【０００８】
本発明は上述のように、防音ケースの扉枠体に扉枠体の表面よりも一段窪んだ環状溝を設け、この環状溝の内側縁部における扉との当接面に環状の封止性当接部材を配したため、扉周りの遮蔽性や防水性が良好な防音ケースを持ったエンジン駆動作業機を提供することができる。
【０００９】
また、扉の背面に吸音材を収納保持する収納枠が扉の剛性を増す補強材としての機能を持つため、扉の剛性がより向上する。
さらに、裏面カバーに配された環状のシール材が収納枠を背面から押すため、扉が大型化して共振周波数が低下する場合でも共振を抑えることができる上、防水および遮音効果を向上することができる。
【発明を実施するための最良の形態】
【００１０】
以下、添付図面を参照して本発明の一実施例を説明する。
【実施例１】
【００１１】
図１は、本発明の一実施例の側面図である。図示のように、エンジン駆動作業機１００は、破線で示すように、防音ケースの内部にエンジン５０、作業機である発電機５１およびマフラ５２等が配された構成である。防音ケースは、上部防音ケース１１０に、吸気ダクト１２０および排風ダクト１３０が図示左右位置に設けられ、また下部ケース１４０に扉枠体１５０、扉１８０，１８５が設けられている。扉１８０，１８５は、扉の裏面に配された蝶番６０により扉枠体１５０に支持され、ハンドル６５により操作されて開閉される。下部ケース１４０は、ベース１７０により支持されている。
【００１２】
図２は、図１に示した扉枠体１５０を、扉１８０，１８５を外した状態で示したものである。扉枠体１５０は、横断面がコ字状の部材の連続体により構成されたもので、外観が図示のように上下に長い矩形であり、４辺により構成されているので、これら４辺を、上部枠１５１、下部枠１５２、右枠１５３、左枠１５４と呼び、扉枠体１５０上のどの位置であるかを示す。
【００１３】
扉枠体１５０の中央部には、封止性当接部材としての第１のシール材７０および第２のシール材８１が扉(図示せず)の周囲を取り囲むように設けられ、また扉の支持端には蝶番６０が縦方向に２箇所、そして開口端側には当接部材としての第３のシール材８０が縦方向に設けられている。
【００１４】
図３は、図２におけるＡ−Ａ線に沿って切断した横断面図である。この切断位置は、右枠１５３および左枠１５４のほぼ中央部であり、図は下から見た状態を示している。
【００１５】
右枠１５３および左枠１５４は、ほぼコ字状部材が連なる柱として構成され、その図示上側に描いた表面構成部１５３ａ，１５４ａは、防音ケースの表面と同一面位置である。そして、この表面構成部１５３ａ，１５４ａは、その扉中央寄り部分が、扉を取り巻くように配された断面ほぼ矩形の環状溝１５３ｂ，１５４ｂに連なり、環状溝１５３ｂ，１５４ｂの扉中央寄り部分は水切り溝部１５３ｃ，１５４ｃに連なっている。水切り溝部１５３ｃ，１５４ｃの扉当り面に、第１のシール材７０が設けられている。
【００１６】
また、環状溝１５３ｂには蝶番６０が、環状溝１５４ｂには第３のシール材８０が設けられている。
【００１７】
右枠１５３、左枠１５４の背面側には、これら右枠１５３、左枠１５４との間に空間を形成するように、裏面カバー１５６ａ，１５５ａがボルト６２で取り付けられ、形成された空間の背面側に吸音材６３が充填される。
【００１８】
裏面カバー１５６ａ，１５５ａは、扉の周囲を取り囲むように配される板状部材の一部をなすもので、扉位置に対応する部分には開口部が形成され、開口部周囲は、ケース内側に向かって一段窪んでクランク部１５６ｂ，１５５ｂを構成している。このクランク部１５６ｂ，１５５ｂに、第２のシール材８１が開口部を取り囲んで環状に設けられている。
【００１９】
図４は、図３に示した扉枠体１５０に、右開きの扉１８０を取り付けた状態を示す横断面図である。扉１８０は、ケース表面と同一面をなす平板部１８０ａの背面に、収納枠１８２により吸音材６３が取り付けられた構成となっており、蝶番６０により扉枠体１５０に支持され、枢軸６０ｂを中心にして回動する。
【００２０】
そして、平板部１８０ａの周縁には、平板部１８０ａに対して直角に折り曲げられた縁１８０ｂ，１８０ｃが形成されており、これら縁１８０ｂ，１８０ｃが扉枠体１５０の環状溝１５３ｂ，１５４ｂに食い込んだ状態となってケース内外間の音伝播経路を長くかつ屈曲させた上、この扉の剛性を上げているため、扉を軽量化することもできる。
【００２１】
収納枠１８２は、吸音材６３の端縁を支持するもので、中央部は開口している。そして、収納枠１８２は、扉枠体１５０の環状溝１５３ｂ，１５４ｂよりも扉中央寄り位置に、扉枠体１５０と扉１８０との間の空間を形成し、シール材８１およびシール材７０を通過する音伝播経路をさらに長くかつ屈曲させている。
【００２２】
この結果、扉枠体１５０と扉１８０との間の音伝播経路は、概ね５回直角方向に向きを変えるものであり、かつ第１シール材７０、第２シール材８１により封止され、さらに図示左側の扉開口端は第３のシール材８０による音伝播阻止効果もあり、十分に遮蔽効果を持ったものとなっている。また、第３のシール材８０の主たる機能は、閉扉状態において一端が蝶番６０で扉枠体１５０に支持された扉１８０の他端を図示しないハンドル６０の掛止装置とこのシール材８０とにより、強固でありながら弾力性をも持ち合わせた掛止装置を得ることにある。
図５は、図２におけるＢ-Ｂ線に沿って切断し、かつ扉１８０を取り付けた状態を示す縦断面図である。扉１８０の収納枠１８２の中央に隔壁１８２ｂを設け、さらに遮音カバー１８３を設けている。これにより、扉１８０の軽量化および遮音カバー１８３の内側直近に配設されたエンジンの騒音を遮音するので遮音効果の向上を図ることができる。
【００２３】
また、この図５は縦断面図であり、水切り溝１５１ｃ，１５２ｃを雨水Ｑ０，Ｑ１が流れる様子が示されている。扉枠体１５０と扉１８０との隙間には雨水が流入するが、水切り溝１５１ｃ，１５２ｃにより扉１５０の周縁を伝ってケース外に導かれ、ケース外に排出される。
【００２４】
図６は、図５に示した実施例の扉１８０を開いた状態を示している。扉１８０は、縁１８０ｂ，１８０ｄおよび収納枠１８２により高い剛性を有し、また収納枠１８２は扉１８０の背面に吸音材６３を支持しており、さらにその中央に遮音カバー１８３を有するものである。他方、扉枠体１５０は、環状溝１５４ｂ等と第１ないし第３のシール材７０，８１，８０とにより構成されている。
【００２５】
そして、扉枠体１５０と扉１８０との組み合わせにより防水性すなわち雨水の侵入防止および遮音性すなわち内部発生音の漏洩防止に優れた構造を提供することができる。
【図面の簡単な説明】
【００２６】
【図１】本発明の一実施例の外観を示す側面図。
【図２】図１の実施例における扉枠体の構造を示す部分側面図。
【図３】図２におけるＡ−Ａ線に沿った横断面図。
【図４】図３の横断面に扉を組み合わせた状態を示す横断面図。
【図５】本発明の他の実施例の、図２におけるＢ-Ｂ線に相当する位置の縦断面図。
【図６】図５に示した実施例の扉を開いた状態を示す斜視図。
【図７】従来の防水ケースにおける扉部分の構造を示す横断面図。
【符号の説明】
【００２７】
５０  エンジン、５１  作業機本体、５２  マフラ、６０  蝶番、
６２  ボルト、６３  吸音材、６５  ハンドル、
７０  第１のシール材(封止性当接部材)、８０  第３のシール材(当接部材)、８１  第２のシール材(封止性当接部材)、１００  防音型エンジン駆動作業機、１１０  上部ケース、１２０  吸気ダクト、１３０  排風ダクト、
１４０  下部ケース、１５０  扉枠体、
１５０ａ，１５１ｂ，１５２ｂ，１５３ｂ，１５４ｂ  環状溝、
１５１-１５４  枠体部分、
１５１ｃ，１５２ｃ，１５３ｃ，１５４ｃ  水切り溝、
１５５−１５８  裏面カバー、１７０  ベース、１８０，１８５  扉、
１８２  収納枠、１８３  遮音カバー、２００  防音ケース外壁、
２１０  開閉扉、２２０，２２１  シール材。
【図１】
2006037719.tif 000003
【図２】
2006037719.tif 000004
【図３】
2006037719.tif 000005
【図４】
2006037719.tif 000006
【図５】
2006037719.tif 000007
【図６】
2006037719.tif 000008
【図７】
2006037719.tif 000009